(57)【特許請求の範囲】
【請求項１】
接点を内蔵したケースと、その内部からケース上面を貫通して上方へ突出する回動軸と、その突出端部へ取付けられた傘状のノブと、ケースの側面へ一体に突出形成されたカプラーとを備えたスイッチにおいて、
ケース上面のノブに覆われる部分に同心円状をなす大小の円環壁を突出形成し、内側の円環壁で回動軸の外周面を囲み、
外側の円環壁をノブの外周部に形成された回動軸と略平行な周壁部の内側に重ねるとともに、
カプラーの開口部周囲に外向きフランジを設け、
スイッチの取付時に下方となるカプラーの壁面にロック用開口部を形成し、
このロック用開口部を囲む周壁を下方へ突出形成したことを特徴とするスイッチ。
【請求項２】
接点を内蔵したケースと、その内部からケース上面を貫通して上方へ突出する回動軸と、その突出端部へ取付けられた傘状のノブと、ケースの側面へ一体に突出形成されたカプラーとを備えたスイッチにおいて、
ケース上面のノブに覆われる部分に同心円状をなす大小の円環壁を突出形成し、内側の円環壁で回動軸の外周面を囲み、
外側の円環壁をノブの外周部に形成された回動軸と略平行な周壁部の内側に重ねるとともに、
ケース上面の大小の円環壁に挟まれた部分にケース内と連通する開口部を設け、この開口部を囲む周壁を上方へ突出形成したことを特徴とするスイッチ。
【発明の詳細な説明】
【０００１】
【発明の属する技術分野】
この発明は自動車の電装品等に好適な防水性及び防塵性の高いスイッチに関する。
【０００２】
【従来の技術】
接点を内蔵したケースと、その内部からケース上面を貫通して上方へ突出する回動軸と、その突出端部へ取付けられた傘状のノブと、ケースの側面へ一体に突出形成されたカプラーとを備えたスイッチは公知である。
【０００３】
【発明が解決しようとする課題】
ところで上記従来構造の場合、スイッチに水がかかると、ノブとケースの間隙やカプラーに水が入り込む可能性があり、防水性を高めることが望まれている。また、塵についても同様であり、防塵性を高めることも望まれる。
【０００４】
【課題を解決するための手段】
請求項１の発明は、接点を内蔵したケースと、その内部からケース上面を貫通して上方へ突出する回動軸と、その突出端部へ取付けられた傘状のノブと、ケースの側面へ一体に突出形成されたカプラーとを備えたスイッチにおいて、
ケース上面のノブに覆われる部分に同心円状をなす大小の円環壁を突出形成し、内側の円環壁で回動軸の外周面を囲み、外側の円環壁をノブの外周部に形成された回動軸と略平行な周壁部の内側に重ねるとともに、カプラーの開口部周囲に外向きフランジを設け、スイッチの取付時に下方となるカプラーの壁面にロック用開口部を形成し、このロック用開口部を囲む周壁を下方へ突出形成したことを特徴とする。
【０００５】
請求項２の発明は、接点を内蔵したケースと、その内部からケース上面を貫通して上方へ突出する回動軸と、その突出端部へ取付けられた傘状のノブと、ケースの側面へ一体に突出形成されたカプラーとを備えたスイッチにおいて、
ケース上面のノブに覆われる部分に同心円状をなす大小の円環壁を突出形成し、内側の円環壁で回動軸の外周面を囲み、外側の円環壁をノブの外周部に形成された回動軸と略平行な周壁部の内側に重ねるとともに、ケース上面の大小の円環壁に挟まれた部分にケース内と連通する開口部を設け、この開口部を囲む周壁を上方へ突出形成したことを特徴とする。
【０００６】
【発明の実施の形態】
以下、図面に基づいて自動車の電装品について使用するスイッチとして構成された実施の一形態を説明する。
【０００７】
図３はこのスイッチの斜視図、図４はカプラー側を示す外観図（図１のＡ矢示方向図）、図５は底面図（図２のＢ矢示方向図）、図６は図１の６−６線断面図、図７はケースの上面を示す図である。
【０００８】
まず、図３及び４に示すように、このスイッチは略直方体のケース１と、その上面２上に回転自在に取付けられた傘状のノブ３を備えている。
【０００９】
ケース１の長手方向両側には取付部４が突出し、かつ、ケース１の上面２の長手方向における縁部で、取付部４の基部上方に切欠き凹部５が形成されている（図３）。
【００１０】
このスイッチはノブ３を上にしてかつ凹部５側を若干低くした図１〜３の状態で、取付部４により図示省略した車体側の適当ケ所へ取付けられる。
【００１１】
上面２の凹部５と反対側の端部にはレンズ６が取付けられ、ケース１内からの照明光を通すようになっており、さらにノブ３の肩部にもレンズ７が設けられている。
【００１２】
図４及び図５に明らかなように、ケース１の取付部４が形成されている側と９０°異なる側面の一方には、カプラー８が側方へ突出形成されている。
【００１３】
カプラー８の開口部周囲には外向きフランジ９が形成され、かつスイッチの取付時に下側となる壁面にロック用開口部１１が形成されている。
【００１４】
ロック用開口部１１の周囲には下方へ向かって突出している周壁１２が形成され、周壁１２の一部は外向きフランジ９となっている。
【００１５】
このロック用開口部１１は、図５に示すように別のカプラー１３と結合するとき、そのカプラー１３の図示しないロック用爪部が嵌合してロックするために設けられる。
【００１６】
図１に示すように、カプラー８の空間１４はロック用開口部１１と連通するとともに、この空間１４内へカプラー端子１５がケース１側から突出している。
【００１７】
一端がカプラー端子１５となる導体板１６の他端側はケース１内へ延出して固定接点１７として露出し、これに可動接点１８が接点スプリング１９で押し当てられている。
【００１８】
導体板１６はケース１の下方へ嵌合されるケース１の底部２０と一体化され、この底部２０はカプラー８と連続一体である。
【００１９】
底部２０の中央部には回動中心突起２１が上方へ一体に突出形成され、この回動中心突起２１の突出端部は接点ホルダー２２の回動軸上に設けられた中心穴２３へ嵌合している。
【００２０】
接点ホルダー２２は中央部から左右方向へ延出する腕部２４、２５を一体に有し、一方の腕部２４には可動接点１８及び接点スプリング１９が支持され、他方の腕部２５にはクリックスプリング２６とクリックボール２７が収容されている。
【００２１】
クリックボール２７はクリックスプリング２６により底部２０側へ一体に形成されたクリック溝２８へ押しつけられ、接点ホルダー２２の回動に節度がつけられている。
【００２２】
接点ホルダー２２の上面側中央部には回動軸２９が上方へ延出して一体に形成され、その上部外周面の一部に切り欠き部３０が形成されている。
【００２３】
この回動軸２９には、ノブ３の中央部に下方へ回って一体に突出形成された筒部３１が取付けられてノブ３と接点ホルダー２２が一体回動するようになっている。
【００２４】
図６に示すように筒部３１内には回動軸２９の切り欠き部３０を含む部分の断面に近似した断面の板バネ３２が嵌合され、かつ板バネ３２の周方向の一部がすり割り部３３になっている。
【００２５】
このため、板バネ３２の弾性により筒部３１は回動軸２９に対して抜け止めされ、かつ板バネ３２の段部３４が切り欠き部３０と当接することにより回り止めされている。
【００２６】
図７にも示すように、ケース１の上面２には、同心円状をなす大小の円環壁３５、３６が一体に上方へ突出形成され、内側の円環壁３５は回動軸２９の外周面に沿い、外側の円環壁３６はノブ３の外周部に回動軸２９と略平行に形成された周壁部３７の内側へ入り込んでいる。
【００２７】
さらに、図２及び図７に明らかなように、凹部５近傍の円環壁３６内側には上方に開放された小空間３８を囲む立壁３９が一体に形成されている。
【００２８】
また、円環壁３５を挟んで立壁３９と反対側には円環壁３５と同３６を結ぶ立壁４０が形成され、これらに囲まれた穴４１の下方にプリズム４２が設けられている（図２）。
【００２９】
ただし、この立壁４０は円環壁３５及び同３６と分離して単独で穴４１の周囲を囲む周壁部として形成することもできる。
【００３０】
レンズ６の下方の空間には、底部２０に取付けられたバルブ４３の発光部が収容され、その光はレンズ６を通して外部へ出るとともに、プリズム４２から穴４１を通り、ノブ３のレンズ７を通っても外部へ出るようになっている。
【００３１】
次に本例の作用を説明する。図１及び図２において、車体側の適当ケ所にスイッチを図の向きで取付けたとき、ロック用開口部１１はカプラー８の下方に位置する。
【００３２】
そこでスイッチに水がかかると、ほとんどの水はノブ３とケース１の表面をつたってそのまま滴下してしまう。このとき一部は図２に示すようにノブ３から凹部５へ落ちてからケース１の下方へ落下する。
【００３３】
また、ケース１の表面をつたってカプラー８へ向かった水は、開口部に形成された外向きフランジ９でほとんどが阻止され、仮にカプラー８の空間１４内へ入っても、ロック用開口部１１から速やかに下方へ排出される。
【００３４】
そのうえ、ロック用開口部１１を囲む周壁１２が下方へ延出しているから、カプラー８の下方からロック用開口部１１を通って空間１４内へ水が入るおそれは極めて少ない。
【００３５】
ごく一部の水がノブ３と上面２の間へ侵入しても、周壁部３７と円環壁３６が一種のラビリンス構造をなし、かつ円環壁３６の内側には小空間３８と立壁３９が設けられているので、ここでほとんどが侵入を止められる。
【００３６】
わずかの水がさらに中心部まで進んでも、回動軸２９の周囲を円環壁３５が囲んでいるので、円環壁３５によって阻止され、円環壁３５を乗り越えて円環壁３５と回動軸２９の間からケース１内へ侵入する可能性はほとんど無くなる。
【００３７】
そのうえ、プリズム４２の上方に形成される穴４１の周囲は立壁４０と円環壁３５、３６で囲まれているため、穴４１からケース１内へ水が侵入するおそれもほとんど無くなる。
【００３８】
ゆえに、著しく防水性を高めることができる。なおかつ、防塵性についても防水性と同様に高まる。
【００３９】
【発明の効果】
請求項１の発明によれば、ノブの回動軸の外周を囲む円環壁をケース上面に設け、かつこの円環壁と同心円状により大径の円環壁を設けてノブの外周部に形成された周壁部の内側へ重ねることによりラビリンス構造を形成した。
【００４０】
ゆえに、スイッチに水がかかっても、ノブとケースの間からケース内へ水が侵入することを阻止できる。また、防塵性も同様に高くできる。
【００４１】
さらに、ケースの側方へ突出するカプラーの取付時に下方となる壁面にロック用開口部を設け、かつこのロック用開口部を囲む周壁を下方へ突出形成したので、カプラー内へ入った水も開口部から排出でき、防水性を極めて高くできる。
【００４２】
そのうえ、カプラーの水抜き用開口部としてロック用開口部を利用するので、特別な開口部を形成する必要がなく、構造を簡単にできる。
【００４３】
請求項２の発明によれば、前記ノブとケース間の防水構造に加え、ケース上面の内外の円環壁に挟まれた部分に穴を開口し、この穴の周囲を囲む立壁を設けたので、ノブとケースの間へ侵入した水をこの穴からケース内へ侵入しないようにできる。
【図面の簡単な説明】
【図１】  図３の１−１線断面図
【図２】  図３の２−２線断面図
【図３】  スイッチの斜視図
【図４】  スイッチの図１におけるＡ矢示方向図
【図５】  スイッチの図２におけるＢ矢示方向図
【図６】  図１の６−６線断面図
【図７】  ケースの上面図
【符号の説明】
１：ケース、３：ノブ、５：凹部、８：カプラー、１１：ロック用開口部、１２：周壁、２０：底部、２２：接点ホルダー、２９：回動軸
【図１】
0003691127.tif 000002
【図２】
0003691127.tif 000003
【図３】
0003691127.tif 000004
【図４】
0003691127.tif 000005
【図５】
0003691127.tif 000006
【図６】
0003691127.tif 000007
【図７】
0003691127.tif 000008